(57)【要約】【課題】指向性の高い光源で広告板を照明した際に、看板本体の補強部材の影がこの広告板に投影されにくくする。【解決手段】建物等の固定物に固定される本体枠１と、この本体枠１の開口部を開閉自在に設けた開閉枠２と、アレイ状の発光ダイオード３と、開閉枠２の表面に設けられた広告板４とで構成される内照式看板であって、開閉枠２の枠体に、この開閉枠２を閉じて発光ダイオード３で広告板４を照明した際に、この発光ダイオード３の照射角の範囲外となる位置に、開閉枠２を補強する補強部材１４を設ける。この位置に補強部材１４を配置することにより、その影が広告板４に投影されないので、開閉枠２の剛性を維持しつつ、この広告板４の高い視認性と美観を確保することができる。【選択図】図１
0003153405.tif 000002
【実用新案登録請求の範囲】
【請求項１】
広告板（４）を背面側から照らす指向性を有する光源（３）と、前記光源（３）の照明範囲外に配置された看板本体を補強する補強部材（１４）とを有し、前記光源（３）で前記広告板（４）を照明した際に、前記補強部材（１４）の影がこの広告板（４）に投影されないようにした内照式看板。
【請求項２】
前記光源（３）が発光ダイオードである請求項１に記載の内照式看板。
【請求項３】
前記看板本体が、建物等の固定物に固定される本体枠（１）と、この本体枠（１）の開口部を開閉自在に設けられた開閉枠（２）とから構成され、前記補強部材（１４）が、前記開閉枠（２）側に設けられている請求項１又は２に記載の内照式看板。
【考案の詳細な説明】
【技術分野】
【０００１】
この考案は、文字や絵等が描かれた広告板に、その裏面側から光を当てて、この広告板を照明するようにした内照式看板に関する。
【背景技術】
【０００２】
内照式看板は、光を透過する広告板に文字や絵等を描き、この広告板の裏面側から照明して、文字や絵等が明瞭に視認できるようにしたものであって、ビルの壁面広告等のように街中で広く使用されている。この内照式看板は、箱体からなる看板本体の表面に前記広告板を取り付けるとともに、この看板本体内に光源を収納して、この広告板を照明している。
【０００３】
また、この看板本体の内部には補強部材が設けられていて、この補強部材により、看板の自重や風圧等の外力が作用した際に変形が生じないように剛性を付与している。
【０００４】
前記光源としては、安価で比較的寿命が長い蛍光灯が採用されることが多い。この蛍光灯方式の内照式看板を図５乃至７に示す。この内照式看板の看板本体は、建物等の固定物に固定する本体枠１と、この本体枠１に設けた開閉枠２で構成される。この本体枠１の開口部には係止レール６が形成される一方で、開閉枠２にはヒンジ部９が形成されている。そして、この係止レール６にヒンジ部９を設けることによって、開閉枠２の開閉がなされる。
【０００５】
この本体枠１の内部には複数の蛍光灯１５が取り付けられており、開閉枠２には広告板４が設けられている。この蛍光灯１５は、その灯体全体が発光し、しかもその光の指向性がほとんどないため、広告板４をその全面に亘って均一に照らすことができる。
【０００６】
その一方で、この蛍光灯１５は、使用時間の経過とともにちらつきが目立つようになり、広告板４の視認性や美観が損なわれるようになる。このため、定期的にこの蛍光灯１５の交換等のメンテナンスが必要となり、このメンテナンスが煩雑でコストを要するという欠点がある。
【０００７】
そこで、この蛍光灯１５の欠点を補うべく、光源として発光ダイオード３を用いた内照式看板が検討され始めている。この発光ダイオード３は、同じ明るさの蛍光灯１５と比較して、さらに消費電力が小さく、しかも長寿命である。このため、環境保護やメンテナンスの負担軽減等の観点において一層優れている。
【０００８】
この発光ダイオード方式の内照式看板の一例を図８及び９に示す。発光ダイオード３の光は、素子の単位面積当たりの発光強度が高く、かつ、蛍光灯１５と比較して光の指向性が高い（照射角が１２０度程度）という特徴がある。このため、看板本体内にアレイ状の発光ダイオード３を所定間隔で多数配置して、広告板４がその全面に亘って、できるだけムラなく均一に照明されるようにしている。
【考案の概要】
【考案が解決しようとする課題】
【０００９】
蛍光灯１５又は発光ダイオード３を光源として用いた際の、この光源から広告板４までの光路を、図１０に模式的に示して、両光源の照明特性について説明する。
【００１０】
従来の蛍光灯１５の場合は、灯体の発光面積が広く、看板本体内に設けた補強部材１４に満遍なく光が到達するため、この補強部材１４の影が広告板４に投影されにくい（同図（ａ）を参照）。また、灯体の単位面積当たりの発光強度はそれほど高くないため、影が生じたとしてもその濃さは薄く、広告板４の視認性や美観にほとんど悪影響を与えない。
【００１１】
これに対し、発光ダイオード３の場合は、素子の単位面積当たりの発光強度が高いため、その照明範囲内に補強部材１４が配置されていると、その影が広告板に明瞭に投影されやすい（同図（ｂ）中の符号Ｓを参照）。しかも、この発光ダイオード３の指向性が高いため、少し離れた位置に配置された発光ダイオード３の照明によって、その影がかき消されて薄くなりにくい。このため、その影によって広告板４の視認性や美観が損なわれるという問題を生じ得る。この問題は、発光ダイオード３に限らず、指向性が高い光源を用いた際に同様に生じ得るものであって、特に、その光源の発光強度が高い場合に顕著なものとなる。
【００１２】
そこで、この考案は、指向性の高い光源で広告板を照明した際に、看板本体の補強部材の影がこの広告板に投影されにくくすることを課題とする。
【課題を解決するための手段】
【００１３】
上記の課題を解決するため、この考案は、広告板を背面から照らす指向性を有する光源と、前記光源の照明範囲外に配置した看板本体を補強する補強部材とを有し、前記光源で前記広告板を照明した際に、前記補強部材の影がこの広告板に照明されないように内照式看板を構成した。
【００１４】
この補強部材を、光源の照明範囲外に配置することによって、補強部材の影は生じない。ここでいう「指向性を有する」とは、光源の光軸上の強度と比較して、その光軸から外れると急激にその強度が小さくなる特性を有することを指し、例えば、前記光軸上の強度を１００とした場合に、強度が５０となるときの前記光軸と傾斜角の全幅（半値全角）で定義される。この指向性は、発光ダイオードの素子に設けた集光レンズの集光特性によって変えることができる。広告板の照明のようにその全面に亘って均一な照明を要する場合は、例えば照射角が１２０度程度の指向性が小さい発光ダイオードを採用する。ちなみに、白熱電球の光は、その光源から全方向にほぼ均一に放射されるので、指向性がほとんどないと解することができる。
【００１５】
このように指向性を有する光源を用いた場合においては、前記照射角の範囲外に補強部材を配置することによって、この補強部材の影が生じない、又は、生じたとしてもその影が薄く、広告板の視認性や美観にほとんど影響を与えない程度とすることができる。
【００１６】
通常、前記光源は、看板本体の最も背面側に設置するのが一般的なので、前記「照射角の範囲外」となる領域は、この看板本体の背面側近傍の領域となる。この背面側近傍に補強部材を配置することで、この補強部材の影が広告板に投影されるのを効果的に防止することができる。
【００１７】
前記構成においては、指向性を有する光源として、発光ダイオードを採用することができる。
【００１８】
この発光ダイオードは、従来から用いられている蛍光灯と比較して低消費電力かつ長寿命であって、環境負荷が小さくメンテナンスの頻度も少なくて済む。このため、発光ダイオードの初期費用を考慮しても、トータル的にコスト低減に寄与することができる。
【００１９】
また、前記各構成においては、前記看板本体が、建物等の固定物に固定される本体枠と、この本体枠の開口部を開閉自在に設けられた開閉枠とから構成され、前記補強部材が、前記開閉枠側に設けられている構成とすることもできる。
【００２０】
この看板本体は、メンテナンス性を考慮して、本体枠と開閉枠が別部材となっていることが多いが、建物等にしっかりと固定されている本体枠と比較して、自在に開閉し得る開閉枠は、強度不足となって変形が生じやすい。この変形が生じると、本体枠への開閉枠の嵌め込みが不完全となることがある。そこで、この開閉枠側に補強部材を設けることによって、その変形を防止して本体枠と開閉枠の嵌め込みを確実に行い得るようにすることができる。
【考案の効果】
【００２１】
この考案では、看板本体を補強する補強部材を指向性を有する光源の照明範囲外に配置した。このため、この補強部材による看板本体の強度を確保しつつ、この補強部材の影が広告板に投影されるのを防止することができ、この内照式看板の視認性及び美観を良好に保つことができる。
【図面の簡単な説明】
【００２２】
【図１】この考案に係る内照式看板を示す側面断面図
【図２】図１に示す内照式看板の開閉枠の開閉構造の要部を示す側面断面図
【図３】図１に示す内照式看板で用いる補強部材の斜視図
【図４】光源（発光ダイオード）からの光の光路を示した、図１に示す内照式看板のＡ−Ａ断面図
【図５】蛍光灯を光源として用いた内照式看板を示す斜視図
【図６】図５に示す内照式看板の側面断面図
【図７】図５に示す内照式看板の開閉枠の開閉構造の要部を示す側面断面図
【図８】発光ダイオードを光源として用いた内照式看板を示す斜視図
【図９】図８に示す内照式看板の側面断面図
【図１０】光源からの光の光路を示し、（ａ）は図６（光源が蛍光灯）のＢ−Ｂ断面図、（ｂ）は図９（光源が発光ダイオード）のＣ−Ｃ断面図
【考案を実施するための形態】
【００２３】
この考案に係る内照式看板の実施形態を図１に示す。
【００２４】
この内照式看板は、建物等の固定物に固定される本体枠１と、この本体枠１に設けた開閉枠２と、アレイ状の発光ダイオード３と、開閉枠２の表面に固定された広告板４を備えている。
【００２５】
本体枠１は開口部を有する有底箱体形状をしており、その底面又はいずれかの側面でもって固定物への固定がなされる。また、図２に示すように、本体枠１の上側面端部には、鈎部５を有する係止レール６が形成されている。その一方で、下側面端部には開閉枠２を固定するロックねじ７が設けられている。この本体枠１内には、図８に模式的に示したように、アレイ状の発光ダイオード３が本体枠１の底面に所定間隔で配線されている。ここで採用している発光ダイオード３は照射角が約１２０度のものであって、広告板４が所定の明るさとなるように照明され、かつその照明強度の分布がほぼ均一となるように、その間隔及び個数が決定されている。この発光ダイオード３の間隔及び個数は、広告板４の大きさや発光ダイオード３から広告板４までの距離によって適宜変更する。
【００２６】
その一方で、開閉枠２の上側枠体には、突条８を有するヒンジ部９が形成され、下側枠体には係止片１０が形成されている。このヒンジ部９を本体枠１の係止レール６に設けると、このヒンジ部９がレール内面により脱落しないように支持されて、開閉枠２の開閉を自在に行うことができる。また、開閉枠２を閉じて係止片１０がロックねじ７に嵌め込まれた状態でこのロックねじ７を締め付けると、開閉枠２を閉じた状態で本体枠１に確実に固定することができる。また、この枠体に形成した凹部１１には、文字や絵等を描いた広告板４の嵌め込み部１２が嵌め込まれる。
【００２７】
また、この開閉枠２の四辺の枠体の対向する二辺には、両端にＬ字形の取り付け金具１３をねじ止めした角形棒材（図３を参照）が補強部材１４として設けられている。この取り付け金具１３により、補強部材１４を開閉枠２側から本体枠１側に張り出した状態（本体枠１に接近させた状態）となるため、図４に示すように、この補強部材１４が、本体枠１に設けた発光ダイオード３の照射範囲外に位置する。このように補強部材１４を設けることにより、この補強部材１４によって開閉枠２の剛性を確保しつつ、この補強部材１４の影が広告板４に投影されて、この広告板４の視認性や美観が損なわれるのを防止することができる。この補強部材１４の間隔及び本数は、開閉枠２の大きさや重量を考慮して適宜決定する。
【００２８】
このように補強部材１４を光源の照射範囲外に配置する構成は、発光ダイオード３のように指向性が高い光を放つ光源を採用した場合に特に有効なものであるが、これに限定されない。すなわち、蛍光灯１５のように指向性の小さい光源を採用する場合でも、できるだけ光源と広告板４の間に補強部材１４が位置しないように、この補強部材１４を開閉枠２側から本体枠１側に張り出した状態とすることにより、補強部材１４の影が広告板４に投影されるのを極力防止することができる。
【００２９】
また、前記実施形態においては、本体枠１に対して一方側に開閉枠２を設けた構成としたが、この本体枠１に対してその両面側に開閉枠２を設ける構成とすることもできる。この場合も、光源３の照射範囲外に補強部材１４を配置するという基本的な構成に違いはなく、開閉枠２の剛性を確保しつつ、この補強部材１４の影が広告板４に投影されるのを回避することができる。
【符号の説明】
【００３０】
１  本体枠
２  開閉枠
３  発光ダイオード（光源）
４  広告板
５  鈎部
６  係止レール
７  ロックねじ
８  突状
９  ヒンジ部
１０  係止片
１１  凹部
１２  嵌め込み部
１３  取り付け金具
１４  補強部材
１５  蛍光灯
【図１】
0003153405.tif 000003
【図２】
0003153405.tif 000004
【図３】
0003153405.tif 000005
【図４】
0003153405.tif 000006
【図５】
0003153405.tif 000007
【図６】
0003153405.tif 000008
【図７】
0003153405.tif 000009
【図８】
0003153405.tif 000010
【図９】
0003153405.tif 000011
【図１０】
0003153405.tif 000012